(57)【要約】      （修正有）【課題】エレベータのかご室内の意匠性を損なうことなく、停電時の照度を確保する。【解決手段】エレベータのかご室の天井部には、かご室に面する所定箇所に開口部を有する筐体が形成されている。エレベータの停電灯装置１０は、筐体の下面８ａに形成された開口部に開閉可能に形成された蓋部１３と、筐体内に収容可能な停電灯１２と、通電時、磁力によって蓋部を吸引して蓋部を閉状態に保持する電磁石１４と、を備える。停電時、蓋部は、電磁石１４の磁力の消失によって自重により開状態となり、停電灯１２は点灯する。【選択図】図３
2008050153.tif 000002
【特許請求の範囲】
【請求項１】
エレベータのかご室の天井部、側板部の少なくとも一方に形成され、かご室内に面する所定箇所に開口部を有する筐体と、
前記筐体内に収容可能であり停電時に点灯する停電灯と、
前記開口部に開閉可能に形成された蓋部と、
通電時、磁力によって前記蓋部を吸引して当該蓋部を閉状態に保持する電磁石と、を備え、
停電時、前記蓋部は前記電磁石の磁力の消失によって開状態となり、前記停電灯によりかご室内を照明することを特徴とするエレベータの停電灯装置。
【請求項２】
前記筐体は、前記天井部の最上面を構成する天板の下面に形成され、
前記開口部は前記筐体の下面に形成されていることを特徴とする請求項１に記載のエレベータの停電灯装置。
【請求項３】
前記筐体は、前記天井部の最上面を構成する天板の下面に形成され、
前記開口部は前記筐体の側面に形成されていることを特徴とする請求項１に記載のエレベータの停電灯装置。
【請求項４】
前記蓋部は、前記筐体に回動可能に備えられ、停電時に自重により開状態となることを特徴とする請求項１乃至３の何れか一項に記載のエレベータの停電灯装置。
【請求項５】
前記蓋部は、弾性部材を用いて前記筐体に回動可能に備えられ、停電時に前記弾性部材の復元力により開状態となることを特徴とする請求項１乃至３の何れか一項に記載のエレベータの停電灯装置。
【請求項６】
前記停電灯は、前記筐体の内部に固定されていることを特徴とする請求項１乃至５の何れか一項に記載のエレベータの停電灯装置。
【請求項７】
前記停電灯は、前記蓋部の内側の面に固定されていることを特徴とする請求項１乃至５の何れか一項に記載のエレベータの停電灯装置。
【発明の詳細な説明】
【技術分野】
【０００１】
本発明は、停電時にエレベータのかご室内を照明するエレベータの停電灯装置に関する。
【背景技術】
【０００２】
一般にエレベータのかご室内には、停電時にかご室内を照明する停電灯が設けられている。停電灯の照度は法令で規定されており、かご室の床面の照度を１ルクス以上に確保する必要がある。このような停電灯としては、通常時（エレベータが正常に動作している時）に用いられる照明灯を停電時にも兼用する兼用タイプのものと、通常の照明灯とは別個に設けられた専用タイプのものがある（例えば、特許文献１及び２参照。）。兼用タイプの場合、停電時、通常の照明灯が補助電源（バッテリー）によって通常時よりも低い照度で点灯する。
【特許文献１】特開平２−１４７５８８号公報
【特許文献２】実公平７−５２１４２号公報
【発明の開示】
【発明が解決しようとする課題】
【０００３】
しかしながら、かご室内に通常の照明灯とは別個に停電灯を取り付けると、通常時にエレベータの利用者に停電灯が見えてしまい、意匠性が劣ってしまう。そこで、利用者から見えない位置に停電灯を取り付けると、今度は停電時の床面の照度を十分に確保することができないなどの問題がある。一方、兼用タイプの照明灯を採用したとしても、間接照明の場合などは、上述と同様に停電時の床面の照度を十分に確保することができない場合もある。
【０００４】
本発明は、エレベータのかご室内の意匠性を損なうことなく、停電時の照度を確保することを目的とする。
【課題を解決するための手段】
【０００５】
上記目的を達成するために、本発明のエレベータの停電灯装置は、エレベータのかご室の天井部、側板部の少なくとも一方に形成され、かご室内に面する所定箇所に開口部を有する筐体と、前記筐体内に収容可能であり停電時に点灯する停電灯と、前記開口部に開閉可能に形成された蓋部と、通電時、磁力によって前記蓋部を吸引して当該蓋部を閉状態に保持する電磁石と、を備え、停電時、前記蓋部は前記電磁石の磁力の消失によって開状態となり、前記停電灯によりかご室内を照明することを特徴とする。
【発明の効果】
【０００６】
本発明によれば、エレベータのかご室内の意匠性を損なうことなく、停電時の照度を確保することが可能となる。
【発明を実施するための最良の形態】
【０００７】
以下、図面を参照して、本発明の実施形態について説明する。以下では、エレベータが正常に動作している時を「通常時」と呼び、通常時に点灯する照明器具を「照明灯」、停電時に点灯する照明器具を「停電灯」と呼ぶことにする。
【０００８】
図１に、本実施形態に係るエレベータのかご室１の構成を示す。かご室１は、床面３、側板部４ａ、４ｂ、袖側板部４ｃ、４ｄ、出入口かごドア５、天井部７等により構成される。床面３の外周の上側には、左右の側板部４ａ、４ｂと、前面側の袖側板部４ｃ、４ｄと、後部側の図示しない側板部が配置されており、これら側板部の上端には天井部７が設けられている。左右の袖側板部４ｃ、４ｄの間には出入口かごドア５が設けられ、右側の袖側板部４ｄには操作盤６が設けられている。
【０００９】
天井部７は、天板２と、天板２の下面に取り付けられ、照明器具を収容する筐体８により構成される。筐体８の下面８ａには、１又は複数の開口部８０が形成され、この開口部８０を覆うように、例えば半透明の照明板９が形成されている。筐体８の内部には、通常時に点灯する蛍光ランプ等の照明灯（図示略）が備えられている。通常時、筐体８内の照明灯からの光は照明板９により拡散され、かご室１内が照明される。また、筐体８の下面８ａの所定領域（例えば、操作盤６の直上の領域）には開口部８１が形成され、この開口部８１を開閉口とした停電灯装置１０が筐体８の内部に設けられている。
【００１０】
停電灯装置１０には、停電検出装置２１の動作に連動して動作する停電検出装置接点２３が接続されている。停電検出装置接点２３には、停電時に停電灯装置１０に電力を供給する二次電池等の補助電源２２が接続されている。補助電源２２は、通常時に通常電源２０により充電され、停電時に停電検出装置接点２３を介して停電灯装置１０の停電灯に放電される。補助電源２２には停電検出装置２１が接続されている。停電検出装置２１は、通常電源２０の電圧が０（無電圧）になることによって筐体８内の照明灯への電力の供給が遮断されると、停電の発生を検出する。
【００１１】
図２及び図３に、停電灯装置１０の立断面図を示す。停電灯装置１０は、停電灯ケース１１、停電灯１２、蓋部１３、電磁石１４等により構成される。停電灯ケース１１は、上側（天板２側）は閉じていて下側に開口部１３１を有し、開口部１３１が筐体８の開口部８１と位置合わせして筐体８の内壁面に固定されている。
【００１２】
停電灯ケース１１の内側の下面１５には、蛍光ランプ等の停電灯１２が固定されており、開口部８１には蓋部１３が形成されている。蓋部１３は磁性材料からなり、開口部８１の縁部に蝶番１６を介して回動可能に枢着されている。ここで、蓋部１３が閉状態である場合の天井部７の意匠性を向上させるため、筐体８の下面８ａと蓋部１３は同系色であるのが好ましい。
【００１３】
開口部８１の上縁部近傍には、蝶番１６に対向した位置に電磁石１４が配置されている。通常時、電磁石１４は通電されており、図２に示すように、磁性材料からなる蓋部１３は電磁石１４の磁力によって吸引保持され、閉状態となっている。一方、停電検出装置２１により停電が検出されると、電磁石１４への通電が停止されることによって電磁石１４の磁力が消失し、図３に示すように、蓋部１３は自重によって開状態となる。このとき、停電灯ケース１１内に固定された停電灯１２が点灯し、開口部８１からかご室１内を照明する。
【００１４】
次に、本実施形態の停電灯装置１０に係る照明回路について説明する。図４に、本実施形態の照明回路１００の回路構成の一例を示す。照明回路１００は、図４に示すように、通常時に電力を供給する交流電源である通常電源２０と、照明スイッチ部３０と、停電検出装置２１と、補助電源２２と、停電検出装置２１のａ接点２３１及びｂ接点２３２を備える停電検出装置接点２３と、停電灯装置１０により構成される。
【００１５】
照明スイッチ部３０は、スイッチ３０ａ及び３０ｂから構成され、それぞれ、通常電源２０の両端に接続される。スイッチ３０ａ及び３０ｂは共に、通電時（通常時）、停電時の双方においてＯＮ状態を維持する。このような構成により、照明灯が点灯している状態で停電が発生したとき（通常電源２０が無電圧になったとき）にのみ停電灯１２を点灯させることができる。
【００１６】
停電検出装置２１は、照明スイッチ部３０の後段に設けられ、その両端がスイッチ３０ａ及び３０ｂに接続される。停電検出装置２１は、スイッチ３０ａ及び３０ｂがＯＮ状態で通常電源２０が無電圧（停電検出装置２１の両端の電位差が０）になったときに停電の発生を検出する。停電検出装置２１の動作に連動して、後述の停電検出装置接点２３が動作する。通常電源２０が無電圧になると、照明灯への電力供給が遮断される。
【００１７】
補助電源２２は、通常時、通常電源２０から充電され、停電時、ＯＮ状態（閉じた状態）のｂ接点２３２を介して停電灯１２へ放電する。
【００１８】
停電検出装置接点２３は、停電検出装置２１のａ接点２３１、ｂ接点２３２を備え、ａ接点２３１は電磁石１４の前段に接続され、ｂ接点２３２は停電灯１２の前段に接続されている。  
【００１９】
停電検出装置２１に通電されているとき、ａ接点２３１はＯＮ状態（閉じた状態）であるため、後段の電磁石１４のコイル１４１が通電される。このとき、ｂ接点２３２はＯＦＦ状態（開いた状態）であるため、停電灯１２は消灯している。一方、スイッチ３０ａ及び３０ｂがＯＮ状態で通常電源２０が無電圧になると、停電検出装置２１に通電されなくなり、ａ接点２３１はＯＦＦ状態となり、ｂ接点２３２はＯＮ状態となる。これにより、電磁石１４のコイル１４１への通電が遮断され、停電灯１２が点灯する。
【００２０】
以上のように、本実施形態の停電灯装置１０によれば、通常時、停電灯１２を利用者から隠し、停電時に蓋部１３を開いて停電灯１２を点灯させるようにしたことにより、通常時のかご室１内の意匠性を向上させるとともに、停電時の床面３の照度を確保することが可能となる。特に、操作盤６の直上の位置に停電灯１２を設けることにより、停電時の操作盤６の照度を十分に確保することが可能となる。
【００２１】
なお、図２及び図３では、停電灯ケース１１内に停電灯１２を固定する構成としたが、停電灯ケース１１を設けずに、開口部８１に対向する天板２の位置に停電灯１２を固定するようにしてもよい。また、蓋部１３の内側の面に停電灯１２を固定するようにしてもよい。
【００２２】
また、図３では、蓋部１３が自重によって開く場合を示したが、バネ等の弾性部材が内蔵された蝶番１６を用い、その弾性部材の復元力によって開くようにしてもよい。この場合においても、蓋部１３は、電磁石１４の磁力が働いているとき、図２のように水平に保持され、その磁力から解放されたとき、図３のように開状態となる。
【００２３】
更に、天板２のかご室１内に面する領域（例えば、筐体８の側面８ｂと側板部４ｂに挟まれる天板２の領域）に開口部を設け、その開口部を開閉口として、図２及び図３の停電灯装置１０を備えるようにしてもよい。
【００２４】
また、図２及び図３では、筐体８の下面８ａに停電灯装置１０の開閉口を設ける場合を示したが、筐体８の側面８ｂに開閉口を設けるようにしてもよい。以下、図５〜図７を参照して、筐体８の側面８ｂに開閉口を有する停電灯装置４０について説明する。
【００２５】
図５に示すように、筐体８の側板部４ｂ側の側面８ｂに開口部８２が形成され、この開口部８２を開閉口とした停電灯装置４０が筐体８の内部に設けられている。図６に示すように、開口部８２には蓋部４３が形成されている。蓋部４３は磁性材料からなり、開口部８２の上側の縁部に蝶番４２を介して回動可能に枢着されている。蓋部４３の内側の面には停電灯４１が固定されている。蝶番４２にはバネ等の弾性部材が内蔵されており、蓋部４３に重力以外の外力が働いていない状態では、図７に示すように蓋部４３は開状態で水平に保持される。
【００２６】
開口部８２の縁部近傍の蝶番４２に対向した位置には、電磁石４４が配置されている。通常時、電磁石４４は通電されており、図６に示すように、磁性材料からなる蓋部４３は電磁石４４の磁力によって吸引保持され、閉状態となっている。一方、電磁石４４への通電が停止されると磁力が消失し、図７に示すように、蓋部４３は蝶番４２に内蔵された弾性部材の復元力によって開状態となる。このとき、蓋部４３の内側に固定された停電灯４１が点灯し、かご室１内を照明する。
【００２７】
図６及び図７の停電灯装置４０に係る照明回路は、図４で示した照明回路１００と同等であるため、ここでの説明は省略する。
【００２８】
なお、本実施形態における記述内容は、本発明の趣旨を逸脱しない範囲で適宜変更可能である。
【００２９】
例えば、上述の実施形態では、かご室１内に１つの停電灯装置を設ける場合を示したが、停電時の床面３の照度を確保するため、かご室１内の大きさに応じて、停電灯装置１０、４０の少なくとも一方を異なる箇所に複数設けるようにしてもよい。
【００３０】
また、側板部４ａ、４ｂ、袖側板部４ｃ、４ｄの上部のうちの少なくとも一つの天井部７付近に、停電灯４１を収容可能な筐体を形成し、図６及び図７の停電灯装置４０と同様の構成の停電灯装置を設けるようにしてもよい。
【００３１】
また、上述の実施形態では、天井部７が、天板２の下側に筐体８が形成された吊り天井である場合を示したが、天板２に開口部を形成し、天板２の上側に照明灯及び停電灯を収容する筐体を形成するようにしてもよい。更に、上述の実施形態では、照明灯と停電灯が同一の筐体８内に収容される場合を示したが、双方の照明器具がそれぞれ異なる筐体に収容されるようにしてもよい。
【図面の簡単な説明】
【００３２】
【図１】本発明の実施形態に係るエレベータのかご室の構成を示す図であって、かご室の奥側から出入口かごドア側を見た透視図。
【図２】筐体の下面に開閉口を有する停電灯装置の立断面図であって、蓋部が閉状態である場合の図。
【図３】筐体の下面に開閉口を有する停電灯装置の立断面図であって、蓋部が開状態である場合の図。
【図４】本実施形態の停電灯装置に係る照明回路の一例を示す図。
【図５】筐体の側面に開閉口を有する停電灯装置を備えるかご室の上部を模式的に示す図。
【図６】筐体の側面に開閉口を有する停電灯装置の立断面図であって、蓋部が閉状態である場合の図。
【図７】筐体の側面に開閉口を有する停電灯装置の立断面図であって、蓋部が開状態である場合の図。
【符号の説明】
【００３３】
１  かご室
２  天板
３  床面
４ａ、４ｂ  側板部
４ｃ、４ｄ  袖側板部
５  出入口かごドア
６  操作盤
７  天井部
８  筐体
８ａ  下面
８ｂ  側面
８０、８１、８２  開口部
９  照明板
１０、４０  停電灯装置
１２、４１  停電灯
１３、４３  蓋部
１４、４４  電磁石
２０  通常電源
２１  停電検出装置
２２  補助電源
２３  停電検出装置接点
３０  照明スイッチ部
１００  照明回路
【図１】
2008050153.tif 000003
【図２】
2008050153.tif 000004
【図３】
2008050153.tif 000005
【図４】
2008050153.tif 000006
【図５】
2008050153.tif 000007
【図６】
2008050153.tif 000008
【図７】
2008050153.tif 000009